(57)【要約】【課題】不揮発性メモリに光源の制御用の設定値を記憶してある場合に、光源の制御部への電源遮断状態からの復帰に係る処理を簡略化することができるようにする。【解決手段】光走査装置は、レーザ光を出射する光源部と、前記レーザ光の出力を制御するための設定値を記憶する記憶部と、前記設定値を記憶可能な不揮発性の不揮発性記憶部と、前記光源部を前記記憶部に記憶された前記設定値に基づき制御する出力制御部と、前記光源部、及び前記出力制御部に対して電源を供給する電源部と、前記電源部による前記光源部、及び前記出力制御部への電源供給が一時的に停止された場合に、電源供給の復帰時に、前記不揮発性記憶部に記憶された前記設定値を、前記記憶部へと記憶させる記憶部制御部と、を備える。【選択図】図１
2014054746.tif 000002
【特許請求の範囲】
【請求項１】
レーザ光を出射する光源部と、
前記レーザ光の出力を制御するための設定値を記憶する記憶部と、
前記設定値を記憶可能な不揮発性の不揮発性記憶部と、
前記光源部を前記記憶部に記憶された前記設定値に基づき制御する光源制御部と、
前記光源部、及び前記光源制御部に対して電源を供給する電源部と、
前記電源部による前記光源部、及び前記光源制御部への電源供給が一時的に停止された場合に、電源供給の復帰時に、プロセッサを介することなく前記不揮発性記憶部に記憶された前記設定値を、前記記憶部へと記憶させる記憶部制御部と、
を備えることを特徴とする光走査装置。
【請求項２】
前記光源制御部は、前記設定値として、前記光源部の光量の調整値を用いる
ことを特徴とする請求項１に記載の光走査装置。
【請求項３】
前記光源制御部は、前記設定値として、シェーディング補正値を用いる
ことを特徴とする請求項１に記載の光走査装置。
【請求項４】
請求項１〜３のいずれか１項に記載の光走査装置を備えた画像形成装置。
【発明の詳細な説明】
【技術分野】
【０００１】
本発明は、光走査装置、及び画像形成装置に関する。
【背景技術】
【０００２】
従来、画像形成装置には、感光体への露光用に半導体レーザが用いられている。このような半導体レーザを制御する際には、光量の調整値がメモリに記憶されており、半導体レーザの制御を行う制御部は、メモリに記憶された調整値を用いて、出射する光量を調整する。例えば、特許文献１に記載の画像形成装置にあっては、半導体レーザのフィードバック制御に用いるゲインやバイアスの調整値を不揮発性メモリに記憶し、集積回路が記憶された設定値を用いてフィードバック制御を実施している例が開示されている。不揮発性メモリに記憶されたデータは、集積回路に対応するレジスタに記憶され、各集積回路は、それぞれのレジスタ内の制御情報に基づき、半導体レーザを駆動制御する。
【発明の概要】
【発明が解決しようとする課題】
【０００３】
しかしながら、上述のように不揮発性メモリに記憶された各制御用のデータをレジスタに記憶する方式では、画像形成装置の用紙が詰まった際に、取り出しのために装置を開放した場合や、省電力モードの場合などには、半導体レーザを駆動制御する集積回路に対する通電が停止してしまう。そのため、復帰時には再度不揮発性メモリからレジスタへとデータを記憶させるための制御が必要となり、早期に作業を再開するための障害となっていた。
【０００４】
本発明は、上記に鑑みてなされたものであって、不揮発性メモリに光源の制御用の設定値を記憶してある場合に、光源の制御部への電源遮断状態からの復帰に係る処理を簡略化することのできる光走査装置を提供することにある。
【課題を解決するための手段】
【０００５】
上述した課題を解決し、目的を達成するために、本発明は、レーザ光を出射する光源部と、前記レーザ光の出力を制御するための設定値を記憶する記憶部と、前記設定値を記憶可能な不揮発性の不揮発性記憶部と、前記光源部を前記記憶部に記憶された前記設定値に基づき制御する出力制御部と、前記光源部、及び前記出力制御部に対して電源を供給する電源部と、前記電源部による前記光源部、及び前記出力制御部への電源供給が一時的に停止された場合に、電源供給の復帰時に、前記不揮発性記憶部に記憶された前記設定値を、前記記憶部へと記憶させる記憶部制御部と、を備えることを特徴とする。
【発明の効果】
【０００６】
本発明によれば、不揮発性メモリに光源の制御用の設定値を記憶してある場合に、光源の制御部への電源遮断状態からの復帰に係る処理を簡略化することができるという効果を奏する。
【図面の簡単な説明】
【０００７】
【図１】図１は、実施形態の画像形成装置としてのカラー複写機の主要部分の構成の例を示す略線図である。
【図２】図２は、実施形態の光走査装置の構成の例を示す斜視図である。
【図３】図３は、実施形態の光走査装置の構成の別の例を示す斜視図である。
【図４】図４は、実施形態の光走査装置を制御するための一例の構成を概略的に示すブロック図である。
【図５】図５は、実施形態のＬＤ駆動部の回路構成を示す図である。
【図６】図６は、実施形態の光源ユニットのシェーディング特性の説明図である。
【図７】図７は、実施形態のＬＤ駆動部への電源供給にかかる回路の構成図である。
【図８】図８は、実施形態のＬＤ駆動部への電源供給にかかる回路の別の構成図である。
【図９】図９は、実施形態のドアのオープンからの復帰にかかるＬＤ起動部の処理の流れを示すフロー図である。
【図１０】図１０は、実施形態の省電力モードからの復帰にかかるＬＤ起動部の処理の流れを示すフロー図である。
【発明を実施するための形態】
【０００８】
（第１の実施形態）
以下に添付図面を参照して、本発明に係る画像形成装置の一実施形態を詳細に説明する。図１は、本発明の実施形態を適用可能な画像形成装置としてのカラー複写機２０の主要部分の構成の例を示す。カラー複写機２０は、画像プロセス部、光走査部を含む露光部９、ならびに、転送ベルトを有し、電子写真方式の画像形成による、転写紙上への画像を形成するようにされている。
【０００９】
カラー複写機２０は、Ｙ（Yellow）、Ｍ（Magenta）、Ｃ（Cyan）およびＫ（Black）各色の画像を形成する画像プロセス部１の内部の４個の作像ユニット１Ｙ、１Ｍ、１Ｃおよび１Ｋが、転写媒体としての転写紙を搬送する転写ベルト３に沿って一列に配置されたタンデム型となっている。
【００１０】
転写ベルト３は、駆動回転する駆動ローラ４と従動回転する従動ローラ５との間に架設されており、駆動ローラ４の回転によって、図中矢印の方向に回転駆動される。転写ベルト３の下部には、転写紙が収納された給紙トレイ６が備えられる。この給紙トレイ６に収納された転写紙のうち最上位置にある転写紙が、画像形成時に転写ベルト３に向けて給紙され、静電吸着によって転写ベルト３上に吸着される。吸着された転写紙は、作像ユニット１Ｙに搬送され、ここで最初にＹ色の画像形成が行われる。
【００１１】
作像ユニット１Ｙ、１Ｍ、１Ｃおよび１Ｋは、それぞれ感光体ドラム７Ｙ、７Ｍ、７Ｃおよび７Ｋと、感光体ドラム７Ｙ、７Ｍ、７Ｃおよび７Ｋの周囲にそれぞれ配置された、帯電器８Ｙ、８Ｍ、８Ｃおよび８Ｋと、現像器１０Ｙ、１０Ｍ、１０Ｃおよび１０Ｋと、感光体クリーナ１１Ｙ、１１Ｍ、１１Ｃおよび１１Ｋと、転写器１２Ｙ、１２Ｍ、１２Ｃおよび１２Ｋとを備える。
【００１２】
例えば作像ユニット１Ｙの感光体ドラム７Ｙの表面は、帯電器８Ｙで一様に帯電された後、露光部９によりＹ色の画像に対応したレーザ光ＬＹで露光され、静電潜像が形成される。形成された静電潜像は、現像器１０Ｙで現像され、所定速度で回転する感光体ドラム７Ｙ上にトナー像が形成される。このトナー像は、感光体ドラム７Ｙと転写ベルト３上の転写紙とが接する位置（転写位置）で、転写器１２Ｙによって転写紙に転写され、これによって、転写紙上に単色（Ｙ色）の画像が形成される。転写が終わった感光体ドラム７Ｙでは、ドラム表面に残った不要なトナーが感光体クリーナ１１Ｙによってクリーニングされ、次の画像形成に備えることとなる。
【００１３】
このように、作像ユニット１Ｙで単色（Ｙ色）が転写された転写紙は、転写ベルト３によって作像ユニット１Ｍに搬送される。ここでも同様に、感光体ドラム７Ｍ上に形成されたＭ色のトナー像が転写紙上に重ねて転写される。転写紙は、その後さらに作像ユニット１Ｃと作像ユニット１Ｋとに順に搬送され、同様に、形成されたＣ色とＫ色のトナー像が転写紙に転写され、これによって転写紙上にカラー画像が形成されてゆく。
【００１４】
そして、作像ユニット１Ｋを通過してカラー画像が形成された転写紙は、転写ベルト３から剥離され、定着器１３で定着された後、排紙される。
【００１５】
反射型の検出センサ素子１５および１６が、搬送ベルト２の主走査方向の両端に対応して取り付け距離Ｌを以て設けられている。検出センサ素子１５および１６は、搬送ベルト２上に形成された各色のトナーのパッチ列およびトナーマーク列を検出し、各色の位置合わせや画像の濃度制御を行うために用いられる。
【００１６】
図２は、図１のカラー複写機２０における光走査装置の構成の例を示す斜視図である。この図２の例は、１つの感光体ドラムに対して１つの振動ミラーで走査する場合の例である。なお、図２では、感光体ドラム７Ｋに関する構成のみが示されている。
【００１７】
レーザダイオードを光源とする光源ユニット５０1（光源部）から出射した光ビームＬＢ1が、副走査方向にのみ屈折力を有するシリンドリカルレンズ５１1で副走査方向にのみ各光ビームが絞られ、ＭＥＭＳ（Micro  Electro  Mechanical  Systems）による振動ミラー５２上で主走査方向に長い潜像を形成する。なお、ＭＥＭＳ以外にもポリゴンミラー走査光学系により潜像を形成するようにしてもよい。
【００１８】
振動ミラー５２に入射した光ビームＬＢ1は、振動ミラー５２で偏向走査され、それ以降の結像光学系である、振動ミラー５２側の走査レンズ５３および被走査面側の走査レンズ５５、ならびに、折り返しミラー６３、６４および６５を介して感光体ドラム７Ｋに照射される。光ビームＬＢ1を出射しながら振動ミラー５２を主走査方向に対して振動させることで、各被走査面である感光体ドラム７Ｋの表面上にて、図中矢印で示されるように、感光体ドラム７Ｋの回転軸に平行な方向に往復して結像走査される。
【００１９】
なお、先端同期検知センサ７０および後端同期検知センサ７１は、振動ミラー５２で反射された光ビームを検知して、検知信号を出力する。この検知信号により、走査の先端および後端を知ることができる。図２の例では、折り返しミラー６５と感光体ドラム７Ｋとの間に、先端同期検知センサ７０および後端同期検知センサ７１が設けられる。
【００２０】
図３は、光走査部の構成の別の例を示す斜視図である。この図３の例は、２つの感光体ドラムに対して１つの振動ミラーで走査する場合の例である。なお、図３では、感光体ドラム７Ｋおよび７Ｃに関する構成のみが示されている。また、図３において、図２と共通する部分には同一の符号を付し、詳細な説明を省略する。
【００２１】
図３において、図２に示される構成に対して光源ユニット５０2、シリンドリカルレンズ５１2およびハーフミラー５６が追加されると共に、折り返しミラー６０、６１および６２が追加される。光源ユニット５０1から出射された光ビームＬＢ1は、ハーフミラー５６を透過して振動ミラー５２に到達する。これ以降の光ビームＬＢ1の光路は、上述の図２の例と同様であるので、ここでの説明を省略する。
【００２２】
光源ユニット５０2から出射された光ビームＬＢ2は、ハーフミラー５６で反射されて振動ミラー５２に到達し、振動ミラー５２で偏向走査され、それ以降の結像光学系である、振動ミラー５２側の走査レンズ５３および被走査面側の走査レンズ５４、ならびに、折り返しミラー６０、６１および６２を介して感光体ドラム７Ｃに照射される。光ビームＬＢ1および光ビームＬＢ2を出射しながら振動ミラー５２を主走査方向に対して振動させることで、各被走査面である感光体ドラム７Ｋおよび７Ｃそれぞれの表面上にて、図中矢印で示されるように、感光体ドラム７Ｋまたは７Ｃの回転軸に平行な方向に往復して結像走査される。
【００２３】
以下では、光走査装置は、図２に示した、１つの感光体ドラムに対して１つの振動ミラーで走査する場合の構成であるものとする。また、上述では、光源ユニット５０1および５０2がそれぞれ１チャンネルの光源であるように示されているが、実際には、これら光源ユニット５０1および５０2は、複数チャンネル、例えば１０チャンネルの光源が用いられる。
【００２４】
さらに、以下では、特に記載のない限り、感光体ドラム７Ｙ、７Ｍ、７Ｃおよび７Ｋそれぞれに対応する振動ミラーを、振動ミラー５２で代表させて説明を行う。同様に、感光体ドラム７Ｙ、７Ｍ、７Ｃおよび７Ｋについても、特に記載のない限り、感光体ドラム７で代表させて説明を行う。また、図示はされていないが、光源ユニット５０1から出射され、各ミラーで反射された光は、受光素子であるフォトダイオード（以下、「ＰＤ」という）により受光され、ＰＤは受光したレーザ光の発光量に比例するモニタ電流を電圧に変換したアナログ電圧信号を、出力する。
【００２５】
図４は、光走査装置を制御するための一例の構成を概略的に示す。制御部１００は、例えばＣＰＵ（Central  Processing  Unit）、ＲＯＭ（Read  Only  Memory）、ＲＡＭ（Random  Access  Memory）などを有し、ＲＯＭに予め記憶されたプログラムに従い、ＲＡＭをワークメモリとして用いて光走査部や後述する書き込み制御部１１２の制御を行う。操作部１３０は、ユーザ操作を受け付ける。操作部１３０は、例えば、色Ｙ、色Ｍ、色Ｃ、色Ｋの各色を用いたフルカラー印刷を行うか、色Ｋのみを用いた単色印刷を行うかを選択するユーザ操作に応じた制御信号を出力し、制御部１００に供給する。
【００２６】
プリンタコントローラ１１１は、例えばパーソナルコンピュータ（ＰＣ）からネットワークなどを介して送信された画像データを受信する。プリンタコントローラ１１１は、受信した画像データを画像処理部１１０へ転送する。画像処理部１１０は、プリンタコントローラ１１１から受信した各画像データに対して、画像データに応じた種々の画像処理を施す。
【００２７】
また、画像処理部１１０は、書き込み制御部１１２から送信されたＫ、Ｍ、ＣおよびＹ各色の副走査タイミング信号を受信して、各色の主走査ゲート信号と、副走査ゲート信号とを書き込み制御部１１２に送信すると共に、これら同期信号に伴う各色の画像データを書き込み制御部１１２に送信する。
【００２８】
書き込み制御部１１２は、制御部１００の制御に従い、受信した各色の画像データについて所定の書込み処理を施して、書込みのための各色の画像データを生成し、色Ｙ、色Ｍ、色Ｃ、色Ｋを書き込むための光ビームを出射する光源ユニット５０を制御するＬＤ駆動部１１３（光源制御部）に対して送信する。
【００２９】
ＬＤ駆動部１１３は、光源ユニット５０を駆動する。なお、図４の例では、色Ｙ、色Ｍ、色Ｃ、色Ｋの各色それぞれのＬＤを、光源ユニット５０で代表させて示している。ＬＤ駆動部１１３は、露光部９内に備えられ、露光部９による感光体ドラム７Ｋ、７Ｍ、７Ｃおよび７Ｙへのレーザ光ＬＫ、ＬＭ、ＬＣおよびＬＹの照射を制御する。レーザ光ＬＫ、ＬＭ、ＬＣおよびＬＹが感光体ドラム７Ｋ、７Ｍ、７Ｃおよび７Ｙに照射されることによって、感光体ドラム７Ｋ、７Ｍ、７Ｃおよび７Ｙ上にトナー画像が形成される。形成されたトナー画像は、転写紙に転写され出力される。
【００３０】
制御部１００に対して、さらに、振動ミラー駆動部１２０、ミラー駆動部１２１およびセンサＩ／Ｆ１２２が接続される。振動ミラー駆動部１２０は、制御部１００の制御に従い振動ミラー５２を駆動する。ミラー駆動部１２１は、制御部１００の制御に従い、振動ミラー５２から感光体ドラム７Ｋまでの光路長を切り替えるためのミラーの角度を調整する角度調整機構を制御する（詳細は後述する）。センサＩ／Ｆ１２２は、先端同期検知センサ７０および後端同期検知センサ７１の出力信号を制御部１００に入力するためのインターフェイスである。
【００３１】
また、制御部１００には、ＰＳＵ１５０（Ｐｏｗｅｒ  Ｓｕｐｌｙｉｎｇ  Ｕｎｉｔ）が接続されており、ＰＳＵ１５０の電源部から供給された電力は制御部１００を介して、各部に対して供給されている。
【００３２】
図５は、ＬＤ駆動部１１３の詳細な構成を示す図である。ＬＤ駆動部１１３は、電流増幅回路２０１、不揮発性メモリ２０２、シェーディング補正レジスタ２０３、増幅率設定レジスタ２０４、記憶部制御回路２０５、及び電圧検出部２０６を備えている。制御対象の光源ユニット５０に内臓されたＰＤ５７が、受光したレーザの光量に応じて変化するモニタ電流をＬＤ駆動部１１３に対して出力する。ＬＤ駆動部１１３は、入力されたモニタ電流をデジタル／アナログ変換し、記憶部に相当する増幅率設定レジスタ２０４に記憶された光量の調整用の設定値に基づき、電流増幅回路２０１がデジタル的に電流量を制御する。電流の増幅率は、増幅率設定レジスタ２０４に記憶された設定値に基づき決定される。なお、電流の増幅率に関する設定値が、増幅率設定レジスタ２０４に記憶されていない場合は、ＬＤ駆動部１１３における基準電圧生成回路により生成される基準電圧と、モニタ電流を電流−電圧変換した値との比較により、増幅率が決定され、決定された値が増幅率設定レジスタ２０４に記憶される。
【００３３】
また、シェーディング補正レジスタ２０３には、光源ユニット５０のシェーディング特性に応じたシェーディング補正値が記憶される。光源ユニット５０には、図６の（１）の矢印で示されように、光源ユニット５０自体の輝度が主走査方向にムラが生じている。そこで、こうしたムラを補正するために、（２）の矢印で示すように、シェーディング特性に対応する、すなわち輝度が相対的に弱いところにはより強めの電流を、輝度が相対的に高いところにはより低めの電流を印荷するように、電流量を補正するシェーディング補正値が設定される。そして、最終的に補正された電流が光源ユニット５０に流れることにより、（３）の矢印において示されるように、主走査方向の輝度がほぼ一定の状態となる。なお、各レジスタ２０３、２０４は、制御部１００を通じて、ＰＳＵ１５０から電源が供給されており、電源が供給状態である状態において、設定値を記憶することができるため、電源が非供給状態の際には、設定値はリセットされる。
【００３４】
また、不揮発性メモリ２０２には、上述した増幅率設定レジスタ２０４、及びシェーディング補正レジスタ２０３に記憶されて設定値と同様の値が記憶される。記憶されるタイミングは任意に設定することができ、例えば各レジスタ２０３、２０４に新たな設定値が記憶された際に、同様の設定値が不揮発性メモリ２０２に記憶されるようにしてもよい。また、記憶部制御回路２０５は、電圧検出部２０６において、電源の復帰が検出されるのを契機に、不揮発性メモリ２０２に記憶された各設定値を対応するレジスタ２０３、２０４へと書き込み処理を行う。記憶部制御回路２０５は、制御部１００のＣＰＵからの指令がなくても、電圧の検出を契機に自動的にデータの転送を行う、電子回路として構成されている。
【００３５】
図７は、ＬＤ駆動部１１３への電源供給にかかる構成を示すブロック図である。図７に示されるように、制御部１００とＬＤ駆動部１１３との間には、インターロックスイッチ１６０が設けられている。インターロックスイッチ１６０は、画像形成装置のカバーやドアが開閉動作に連動しており、開放されるとスイッチの接点がオフになり、ＬＤ駆動部１１３への電源の供給が遮断される。こうした、カバーやドアの開放は、例えば印刷用の用紙が装置内の搬送経路上でつまった場合などに行われるため、故障からの復旧のための紙を取り除く作業をする際に、光源ユニット５０から放射による暴露から利用者が保護されている。
【００３６】
図８は、ＬＤ駆動部１１３への電源供給にかかる別の構成を示すブロック図である。図８では、新たに電源制御部１７０が設けられている。電源制御部１７０は、例えばカラー複写機２０への操作が所定の時間なかった場合の省電力モードなどに作動し、必要のないＬＤ駆動部１１３への電源供給を停止する制御を行う。この場合は、省電力モードでもＬＤ駆動部１１３への電源供給は停止されることから、レジスタ２０３、２０４に記憶された設定値はリセットされる。
【００３７】
上述したように、省電力モードへの移行や、ドアの開放などによって、ＬＤ駆動部１１３への電源供給が遮断されると、レジスタ２０３、２０４へ記憶された設定値はリセットされてしまう。この場合、電源が復帰した場合であっても、レジスタ２０３、２０４には設定値が設定されていないため、光源ユニット５０からのフィードバック制御によって新たに設定値を算出するのでは、処理の負担が大きくなってしまう。そこで、本実施形態においては、電圧検出部２０６により電源の復帰が検出されると、記憶部制御回路２０５が自動的に不揮発性メモリ２０２に記憶された設定値をレジスタ２０３、２０４へと記憶させる制御が行われる。以下、詳細な処理の流れを説明する。
【００３８】
図９（ａ）は、通常の制御部１００のＣＰＵによって電源の復帰時に行う処理の流れを示しており、（ｂ）は、記憶部制御回路２０５による電源の復帰時の処理の流れを示している。まず、カラー複写機２０のドアがオープンされて、ドアと連結したアクチュエータによって駆動されたインターロックＳＷの開閉が検出されると（ステップＳ１０１）、インターロックスイッチ１６０がオフになることにより、ＬＤ駆動部１１３への電源供給が遮断される（ステップＳ１０２）。次いで、制御部１００では、ドアが再度クローズされるまで待機状態となる（ステップＳ１０３：Ｎｏ）。一方、ＬＤ駆動部１１３の電圧検出部２０６は、電圧の変化からドアのクローズを検出し、この間ＬＤ駆動部１１３自身は通電がされていないことから、待機情態ではない（ステップＳ２０３）。
【００３９】
ドアがクローズされると、制御部１００のＣＰＵは、不揮発性メモリから設定値を読み出し（ステップＳ１０４）、読み出した設定値を対応するレジスタ２０３、２０４へと設定する処理を行う（ステップＳ１０５）。一方、本実施形態のＬＤ駆動部１１３においては、記憶部制御回路２０５がＣＰＵを介することなく、不揮発性メモリ２０２に記憶された設定値を対応するレジスタ２０３、２０４へと自動的に設定する（ステップＳ２０４）。
【００４０】
また、シェーディング補正値の再設定に係る処理についても図１０を用いて説明する。図１０（ａ）は、通常の制御部１００のＣＰＵによって電源の復帰時に行う処理の流れを示しており、（ｂ）は、本実施形態の記憶部制御回路２０５による電源の復帰時の処理の流れを示している。まず、電源制御部１７０は、省電力モードへの移行のための制御を行い（ステップＳ３０１）、ＬＤ駆動部１１３への電源の供給が遮断される（ステップＳ３０２）。この状態で、カラー複写機２０へと何らかの操作がされた場合、省電力モードから復帰し、電源制御部１７０は、省電力モードの解除を行ってＬＤ駆動部１１３への電源供給を再開する（ステップＳ３０３）。
【００４１】
次いで、省電力モードから復帰すると、制御部１００のＣＰＵは、不揮発性メモリ２０２から設定値を読み出し（ステップＳ３０４）、読み出した設定値を対応するレジスタ２０３、２０４へと設定する処理を行う（ステップＳ３０５）。一方、本実施形態のＬＤ駆動部１１３においては、記憶部制御回路２０５がＣＰＵを介することなく、不揮発性メモリ２０２に記憶された設定値を対応するレジスタ２０３、２０４へと自動的に設定する（ステップＳ４０４）。
【００４２】
以上に示した本実施形態の画像形成装置にあっては、省電力モードやドアオープンからの復帰時に、ＣＰＵを介さずに、ＬＤ駆動部１１３に設けられた記憶部制御回路２０５が、不揮発性メモリ２０２からレジスタ２０３、２０４へと設定値を再設定することとしたため、処理が簡易となり、制御に要する時間を短縮することができるようになる。
【００４３】
また、電流の増幅率を決定する設定値だけではなく、シェーディング補正値も復帰時に自動的に再設定することにしたため、主走査の位置ごとに異なる値を設定する必要がありより制御が複雑化しやすいシェーディング補正値を新たに設定する必要がなく、自動的に不揮発性メモリ２０２に記憶された値で再設定が可能となる。
【符号の説明】
【００４４】
１  画像プロセス部
１Ｙ  作像ユニット
１Ｍ  作像ユニット
１Ｃ  作像ユニット
１Ｋ  作像ユニット
２  搬送ベルト
３  転写ベルト
４  駆動ローラ
５  従動ローラ
６  給紙トレイ
７  感光体ドラム
７Ｙ  感光体ドラム
７Ｍ  感光体ドラム
７Ｃ  感光体ドラム
７Ｋ  感光体ドラム
８Ｙ  帯電器
９  露光部
１０Ｙ  現像器
１１Ｙ  感光体クリーナ
１２Ｙ  転写器
１３  定着器
１５  検出センサ素子
２０  カラー複写機
５０  光源ユニット
５２  振動ミラー
５３  走査レンズ
５４  走査レンズ
５５  走査レンズ
５６  ハーフミラー
５７  ＰＤ
６０、６１、６２、６３、６４、６５  折り返しミラー
７０  先端同期検知センサ
７１  後端同期検知センサ
１００  制御部
１１０  画像処理部
１１１  プリンタコントローラ
１１２  書き込み制御部
１１３  ＬＤ駆動部
１２０  振動ミラー駆動部
１２１  ミラー駆動部
１２２  センサＩ／Ｆ
１３０  操作部
１５０  ＰＳＵ
１６０  インターロックスイッチ
１７０  電源制御部
２０１  電流増幅回路
２０２  不揮発性メモリ
２０３  シェーディング補正レジスタ
２０４  増幅率設定レジスタ
２０５  記憶部制御回路
２０６  電圧検出部
【先行技術文献】
【特許文献】
【００４５】
【特許文献１】特開２０１１−９８４９４号公報
【図１】
2014054746.tif 000003
【図２】
2014054746.tif 000004
【図３】
2014054746.tif 000005
【図４】
2014054746.tif 000006
【図５】
2014054746.tif 000007
【図６】
2014054746.tif 000008
【図７】
2014054746.tif 000009
【図８】
2014054746.tif 000010
【図９】
2014054746.tif 000011
【図１０】
2014054746.tif 000012